(57)【要約】【課題】簡易な処理で印刷の中止を行なう。【解決手段】印刷中にキャンセルボタンが押下されたときには、「用紙無し」の制御信号と「キャンセル」の制御信号とを出力し、「用紙無し」の制御信号に基づいて印刷を停止し（Ｓ１２０）、その後に「キャンセル」の制御信号に基づいて印刷中であった印刷ジョブのジョブメモリからの削除や感光体，転写ベルトのクリーニングなどのキャンセル処理を実行し（Ｓ１５０）、その後、印刷停止を解除して印刷を中止する（Ｓ１６０）。既存の「用紙無し」の制御信号による印刷停止の後に印刷ジョブの消去や感光体，転写ベルトのクリーニングなどのキャンセル処理を追加するだけで印刷の中止の処理とすることができ、簡易な処理で印刷の中止を行なうことができる。【選択図】図３
2010125848.tif 000002
【特許請求の範囲】
【請求項１】
印刷すべき画像データを記憶する画像データ記憶手段と、前記画像データ記憶手段に記憶された画像データに基づいて画像を印刷する印刷手段と、前記印刷手段による印刷の最中に印刷を停止する印刷停止信号が発生しているときには所定のタイミングで所定の停止処理により印刷が停止されるよう前記印刷手段を制御し、印刷を停止している最中に印刷の停止を解除する停止解除信号が発生したときには停止している印刷が再開されるよう前記印刷手段を制御する印刷制御手段と、を備える画像印刷装置であって、
印刷の中止を受け付けると共に該印刷の中止が受け付けられたときに前記印刷停止信号を発生させると共に前記印刷手段による印刷を中止する印刷中止信号を発生させる印刷中止受付手段を備え、
前記印刷制御手段は、前記印刷停止信号の発生と共に前記印刷中止信号が発生しているときには、前記印刷停止信号の発生に伴って印刷が停止されるよう前記印刷手段を制御し、その後、少なくとも前記画像データ記憶手段に記憶されている印刷の停止に係る画像データを消去すると共に該画像データの消去の後に印刷の停止が解除されるよう前記印刷手段を制御する手段である、
画像印刷装置。
【請求項２】
前記印刷停止信号は、紙や布などの画像を印刷するための印刷媒体の不足により印刷の停止を要請する信号または画像印刷装置の所定のカバーが開かれたことにより印刷の停止を要請する信号である請求項１記載の画像印刷装置。
【請求項３】
請求項１または２記載の画像印刷装置であって、
前記印刷手段は、転写ベルトへの画像の転写を伴って画像の印刷を行なう手段であり、
前記印刷制御手段は、前記印刷停止信号の発生と共に前記印刷中止信号が発生しているときには、前記印刷停止信号の発生に伴って印刷が停止されるよう前記印刷手段を制御し、その後、少なくとも前記画像データ記憶手段に記憶されている印刷の停止に係る画像データを消去すると共に前記転写ベルトのクリーニングが行なわれた後に印刷の停止が解除されるよう前記印刷手段を制御する手段である、
画像印刷装置。
【請求項４】
前記印刷中止受付手段は、前記画像印刷装置に設けられたキャンセルボタンを有する手段である請求項１ないし３いずれか１つの請求項に記載の画像印刷装置。
【請求項５】
印刷すべき画像データを記憶する画像データ記憶手段と、前記画像データ記憶手段に記憶された画像データに基づいて画像を印刷する印刷手段と、を備え、前記印刷手段による印刷の最中に印刷を停止する印刷停止信号が発生しているときには所定のタイミングで所定の停止処理により印刷が停止されるよう前記印刷手段を制御し、印刷を停止している最中に印刷の停止を解除する停止解除信号が発生したときには停止している印刷が再開されるよう前記印刷手段を制御する画像印刷装置の制御方法であって、
印刷の中止を受け付けたときには、前記印刷停止信号と前記印刷手段による印刷を中止する印刷中止信号とを発生し、前記印刷停止信号の発生に伴って印刷が停止されるよう前記印刷手段を制御し、その後、少なくとも前記画像データ記憶手段に記憶されている印刷の停止に係る画像データを消去すると共に該画像データの消去の後に印刷の停止が解除されるよう前記印刷手段を制御する、
ことを特徴とする画像印刷装置の制御方法。
【発明の詳細な説明】
【技術分野】
【０００１】
本発明は、画像印刷装置およびその制御方法に関する。
【背景技術】
【０００２】
従来、この種の画像印刷装置としては、プリント動作のキャンセルを指示するキャンセルキーをオペレーションパネルに設け、キャンセルキーが操作されたときにはプリント用紙の休止を停止すると共にＲＡＭに残っているプリントデータをクリアするキャンセル機能付きプリンタが提案されている（例えば、特許文献１参照）。このプリンタでは、プリントの最中にキャンセルキーを操作することによってプリントを中止している。
【特許文献１】特開平５−７７５２５号公報
【発明の開示】
【発明が解決しようとする課題】
【０００３】
しかしながら、上述のプリンタでは、キャンセルキーの操作状態を常に監視する必要とプリント動作の停止とは別のプリント動作の中止の処理が必要となり、プリンタの制御装置が複雑化する。通常、プリンタは、プリント動作の最中には印刷用紙が欠損したか否かや各部のカバーが開かれたか否かなどを監視し、印刷用紙が欠損したときにはプリント動作を停止して「用紙無し」の信号を出力して給紙を促し、各部のカバーのうちのいずれかが開かれたときにはプリント動作を停止して「カバー開」の信号を出力してカバーの閉成を促して、給紙やカバーの閉成を確認した後にプリントの停止を解除してプリント動作を再開する。上述のプリンタでは、キャンセルキーの操作状態を常に監視すると共にキャンセルキーが操作されたときにはプリント動作の停止の処理とは別のプリント動作の中止の処理を行なう必要があり、処理項目が増大してしまう。
【０００４】
本発明の画像印刷装置およびその制御方法は、簡易な処理で印刷の中止を行なうことを主目的とする。
【課題を解決するための手段】
【０００５】
本発明の画像印刷装置およびその制御方法は、少なくとも上述の主目的を達成するために以下の手段を採った。
【０００６】
本発明の画像印刷装置は、
印刷すべき画像データを記憶する画像データ記憶手段と、前記画像データ記憶手段に記憶された画像データに基づいて画像を印刷する印刷手段と、前記印刷手段による印刷の最中に印刷を停止する印刷停止信号が発生しているときには所定のタイミングで所定の停止処理により印刷が停止されるよう前記印刷手段を制御し、印刷を停止している最中に印刷の停止を解除する停止解除信号が発生したときには停止している印刷が再開されるよう前記印刷手段を制御する印刷制御手段と、を備える画像印刷装置であって、
印刷の中止を受け付けると共に該印刷の中止が受け付けられたときに前記印刷停止信号を発生させると共に前記印刷手段による印刷を中止する印刷中止信号を発生させる印刷中止受付手段を備え、
前記印刷制御手段は、前記印刷停止信号の発生と共に前記印刷中止信号が発生しているときには、前記印刷停止信号の発生に伴って印刷が停止されるよう前記印刷手段を制御し、その後、少なくとも前記画像データ記憶手段に記憶されている印刷の停止に係る画像データを消去すると共に該画像データの消去の後に印刷の停止が解除されるよう前記印刷手段を制御する手段である、
ことを要旨とする。
【０００７】
この本発明の画像印刷装置では、印刷の中止を受け付けると共に印刷の中止が受け付けられたときに印刷を停止する印刷停止信号を発生させると共に印刷手段による印刷を中止する印刷中止信号を発生させる印刷中止受付手段を設け、この印刷中止受付手段により印刷の中止が受け付けられたときには、印刷停止信号の発生と共に印刷中止信号が発生していることから、印刷停止信号の発生に伴って印刷が停止されるよう印刷手段を制御し、その後、少なくとも画像データ記憶手段に記憶されている印刷の停止に係る画像データを消去すると共に画像データの消去の後に印刷の停止が解除されるよう印刷手段を制御する。即ち、印刷の中止を受け付けると、印刷停止信号と印刷中止信号とを発生させ、印刷停止信号に伴って印刷を停止し、その後、印刷中止信号に伴って画像データの消去および印刷の停止の解除を行なうのである。このように印刷が停止されて画像データが消去されるから、その後に印刷の停止が解除されたときには印刷が終了していることになり、結果として、印刷が中止されたことになる。ここで、印刷停止信号としては、既存の信号として既に存在する信号、例えば、紙や布などの画像を印刷するための印刷媒体の不足により印刷の停止を要請する信号や画像印刷装置の所定のカバーが開かれたことにより印刷の停止を要請する信号を用いることができるから、印刷の停止の処理としては既存の処理をそのまま用いることができる。この結果、印刷が停止された後に画像データを消去する処理などを追加するだけで印刷の中止の処理を実行することができる。即ち、簡易な処理で印刷の中止を行なうことができる。
【０００８】
こうした本発明の画像印刷装置において、前記印刷手段は転写ベルトへの画像の転写を伴って画像の印刷を行なう手段であり、前記印刷制御手段は、前記印刷停止信号の発生と共に前記印刷中止信号が発生しているときには、前記印刷停止信号の発生に伴って印刷が停止されるよう前記印刷手段を制御し、その後、少なくとも前記画像データ記憶手段に記憶されている印刷の停止に係る画像データを消去すると共に前記転写ベルトのクリーニングが行なわれた後に印刷の停止が解除されるよう前記印刷手段を制御する手段である、ものとすることもできる。こうすれば、画像印刷装置としてレーザープリンタなどの電子印刷装置にも適用することができる。
【０００９】
また、本発明の画像印刷装置において、前記印刷中止受付手段は、前記画像印刷装置に設けられたキャンセルボタンを有する手段であるものとすることもできる。こうすれば、キャンセルボタンを操作するだけで印刷を中止することができる。
【００１０】
本発明の画像印刷装置の制御方法は、
印刷すべき画像データを記憶する画像データ記憶手段と、前記画像データ記憶手段に記憶された画像データに基づいて画像を印刷する印刷手段と、を備え、前記印刷手段による印刷の最中に印刷を停止する印刷停止信号が発生しているときには所定のタイミングで所定の停止処理により印刷が停止されるよう前記印刷手段を制御し、印刷を停止している最中に印刷の停止を解除する停止解除信号が発生したときには停止している印刷が再開されるよう前記印刷手段を制御する画像印刷装置の制御方法であって、
印刷の中止を受け付けたときには、前記印刷停止信号と前記印刷手段による印刷を中止する印刷中止信号とを発生し、前記印刷停止信号の発生に伴って印刷が停止されるよう前記印刷手段を制御し、その後、少なくとも前記画像データ記憶手段に記憶されている印刷の停止に係る画像データを消去すると共に該画像データの消去の後に印刷の停止が解除されるよう前記印刷手段を制御する、
ことを特徴とする。
【００１１】
この本発明の画像印刷装置の制御方法では、印刷の中止を受け付けたときには、印刷を停止する印刷停止信号と印刷手段による印刷を中止する印刷中止信号とを発生し、印刷停止信号の発生に伴って印刷が停止されるよう印刷手段を制御し、その後、少なくとも画像データ記憶手段に記憶されている印刷の停止に係る画像データを消去すると共に画像データの消去の後に印刷の停止が解除されるよう印刷手段を制御する。即ち、印刷の中止を受け付けると、印刷停止信号と印刷中止信号とを発生させ、印刷停止信号に伴って印刷を停止し、その後、印刷中止信号に伴って画像データの消去および印刷の停止の解除を行なうのである。このように印刷が停止されて画像データが消去されるから、その後に印刷の停止が解除されたときには印刷が終了していることになり、結果として、印刷が中止されたことになる。ここで、印刷停止信号としては、既存の信号として既に存在する信号、例えば、紙や布などの画像を印刷するための印刷媒体の不足により印刷の停止を要請する信号や画像印刷装置の所定のカバーが開かれたことにより印刷の停止を要請する信号を用いることができるから、印刷の停止の処理としては既存の処理をそのまま用いることができる。この結果、印刷が停止された後に画像データを消去する処理などを追加するだけで印刷の中止の処理を実行することができる。即ち、簡易な処理で印刷の中止を行なうことができる。
【発明を実施するための最良の形態】
【００１２】
図１は本発明の一実施形態であるデジタル複合機１０の概略構成を示す構成図、図２はデジタル複合機１０に組み込まれたカラーレーザプリンタ２０の概略構成を示すブロック図である。
【００１３】
本実施形態のデジタル複合機１０は、図１に示すように、画像データに基づく画像を用紙に印刷するカラーレーザプリンタ２０と、カラーレーザプリンタ２０の上部に設置され原稿上の画像を画像データとして読み取るスキャナ７０と、スキャナ７０の手前に設けられユーザによる指示の入力や各種情報の表示を行う操作パネル９０とを備える。
【００１４】
カラーレーザプリンタ２０は、図２に示すように、カラーレーザプリンタ２０全体の制御を司るプリンタ用コントローラ３０と、電子写真方式のプリンタ機構４１やこのプリンタ機構４１を制御するプリンタＡＳＩＣ４２を含んで構成されるプリンタ部４０と、操作パネル９０やスキャナ用コントローラ７５との間で制御信号の入出力を行なう入出力ポート３９とを備える。なお、「ＡＳＩＣ」とは、アプリケーション・スペシフィック・インテグレーテッド・サーキット（Application Specific Integrated Circuit）の略である。
【００１５】
プリンタ用コントローラ３０は、ＣＰＵ３１を中心とするマイクロプロセッサとして構成されており、各種処理プログラムを記憶するほかこのカラーレーザプリンタ２０の固有の製品情報を記憶したＲＯＭ３２と、一時的にデータを記憶したりデータを保存したりするＲＡＭ３３と、電気的に書き換え可能で電源を切ってもデータは保持されるフラッシュメモリ３４と、印刷ジョブを保存するジョブメモリ３５とを備える。このプリンタ用コントローラ３０は、バス３８を介してプリンタＡＳＩＣ４２と電気的に接続されており、プリンタＡＳＩＣ４２への印刷指令信号を出力したり、プリンタＡＳＩＣ４２からの印刷動作信号を入力したりする。また、プリンタ用コントローラ３０は、バス３８と入出力ポート３９とを介して用紙カセット６５から用紙Ｐをプリンタ機構４１に搬送する搬送ユニット６６に駆動信号を出力したり、用紙カセット６５の用紙が無くなったのを検出する用紙センサ６５ａからの「用紙無し」の制御信号を入力したりする。さらに、プリンタ用コントローラ３０は、バス３８と入出力ポート３８とを介してスキャナ７０のスキャナ用コントローラ７５や操作パネル９０と電気的に接続されており、スキャナ用コントローラ７５からの画像データや操作パネル９０からの各種指令信号を入力したり、操作パネル９０への表示指令信号を出力したりする。
【００１６】
プリンタ部４０は、上述したようにプリンタ機構４１とプリンタＡＳＩＣ４２とを備える。プリンタ機構４１は、単一感光体方式と中間転写方式とを採用したフルカラーの電子写真方式のプリンタ機構として構成され、帯電された表面上にＣ（シアン），Ｍ（マゼンタ），Ｙ（イエロー），Ｋ（ブラック）の各色ごとの画像の静電潜像が図示しない露光器により形成される感光体６３と、各色のトナーカートリッジ４５Ｃ，４５Ｍ，４５Ｙ，４５Ｋから供給される各色のトナーを感光体６３上に形成された静電潜像に付着させてトナー像として現像する現像器６１と、現像した各色のトナー像を重ね合わせるよう一次転写する中間転写体としての転写ベルト６４と、用紙カセット６５から搬送ユニット６６により搬送された用紙Ｐに転写ベルト６４上に形成された４色のトナー像を二次転写する二次転写ユニット６７と、用紙Ｐ上に転写された４色のトナー像を用紙Ｐに溶融し定着させる定着ユニット６８と、定着ユニット６８でトナー像を定着した用紙Ｐを排出する排出口５９とを備える。
【００１７】
操作パネル９０は、図１および図２に示すように、ユーザからカラーレーザプリンタ２０やスキャナ７０への指示を入力可能なテンキーやカーソルキーなどの各種入力ボタン９１と、キー操作に伴う文字や数字等を表示したりカラーレーザプリンタ２０やスキャナ７０の処理状況を表示したりする液晶画面９２と、印刷最中に印刷を中止するためのキャンセルボタン９７とを備える。このうち、各種入力ボタン９１としては、デジタル複合機１０の電源をオンにする電源ボタンやガラス台に置かれた原稿のコピー（複写）を開始するコピースタートボタン、画像をカラーで印刷するカラーモードかモノクロで印刷するモノクロモードかを選択する印刷モード選択ボタンなどが設けられている。本実施形態では、キャンセルボタン９７が押下されると、この押下に伴って操作パネル９０は「用紙無し」の制御信号と「キャンセル」の制御信号とを入出力ポート３９を介してプリンタ用コントローラ３０に向けて出力する。
【００１８】
本実施形態のデジタル複合機１０はスキャナ７０も備えるが、本実施形態のデジタル複合機１０が備えるスキャナ７０は一般的なものであり、本発明の中核をなさないため、スキャナ７０についての詳細な説明は省略する。
【００１９】
次に、こうして構成された本実施形態のデジタル複合機１０の機能、特にカラーレーザプリンタ２０で用紙Ｐに画像を印刷している最中に操作パネル９０のキャンセルボタン９７が押下されたときの動作について説明する。図３は操作パネル９０のキャンセルボタン９７が押下されて操作パネル９０から「用紙無し」の制御信号と「キャンセル」の制御信号とが入出力ポート３９およびバス３８を介して入力されたときや用紙センサ６５ａからの「用紙無し」の制御信号が入出力ポート３９およびバス３８を介して入力されたときなどにプリンタ用コントローラ３０のＣＰＵ３１が実行する印刷停止中止処理の一例を示すフローチャートである。
【００２０】
印刷停止中止処理が実行されると、プリンタ用コントローラ３０のＣＰＵ３１は、まず、入力した制御信号のいずれかが「用紙無し」の制御信号であるのを確認し（ステップＳ１００）、いずれも「用紙無し」の制御信号ではないときにはプリンタ部４０による印刷を停止することなく印刷処理を継続し（ステップＳ１１０）、本処理を終了する。入力した制御信号のいずれかが「用紙無し」の制御信号であるときには、プリンタ部４０のプリンタＡＳＩＣ４２に印刷の停止を行なう制御信号を出力し、プリンタ部４０による印刷を停止する（ステップＳ１２０）。この印刷の停止は、現在印刷中の用紙Ｐに対する印刷や次の用紙への印刷の準備、即ち、現在印刷されている用紙Ｐへの二次転写ユニット６７による二次転写や定着ユニット６８による用紙Ｐ上に転写された４色のトナー像の用紙Ｐへの定着と次の用紙への印刷のための各色ごとの画像の静電潜像の感光体６３への形成や現像器６１によるトナー像の現像，転写ベルト６４への各色のトナー像の一次転写を実行し、これが終了したタイミングで感光体６３や現像器６１，転写ベルト６４，二次転写ユニット６７，定着ユニット６８，搬送ユニット６６の動作を停止することにより行なわれる。
【００２１】
続いて、入力した制御信号のいずれかに「キャンセル」の制御信号があるか否かを判定し（ステップＳ１３０）、「キャンセル」の制御信号がないときには、用紙カセット６５に用紙が無い「用紙無し」と判断し、用紙カセット６５に給紙されるのを待って（ステップＳ１４０）、用紙カセット６５に給紙されると、感光体６３や現像器６１，転写ベルト６４，二次転写ユニット６７，定着ユニット６８，搬送ユニット６６の動作を許可して印刷を再開するよう印刷停止を解除して（ステップＳ１６０）、本処理を終了する。これにより、次の用紙への印刷が開始される。
【００２２】
ステップＳ１３０で入力した制御信号のいずれかに「キャンセル」の制御信号があると判定されたときには、現在印刷中の印刷ジョブをジョブメモリ３５から削除したり、感光体６３に形成された静電潜像やトナー像を削除すると共に転写ベルト６４に一次転写された各色のトナー像を削除するクリーニングを実行したりするキャンセル処理を実行し（ステップＳ１５０）、感光体６３や現像器６１，転写ベルト６４，二次転写ユニット６７，定着ユニット６８，搬送ユニット６６の動作を許可して印刷を再開するよう印刷停止を解除して（ステップＳ１６０）、本処理を終了する。印刷停止が解除されると印刷が再開されるが、印刷中であった印刷ジョブがジョブメモリ３５から削除されていると共に感光体６３や転写ベルト６４などがクリーニングされているため、印刷ジョブが終了したと判断され、結果として印刷が中止され、印刷が再開されることはない。
【００２３】
以上説明した本実施形態のデジタル複合機１０が備えるカラーレーザプリンタ２０によれば、印刷中にキャンセルボタン９７が押下されたときには、「用紙無し」の制御信号と「キャンセル」の制御信号とを出力し、「用紙無し」の制御信号に基づいて印刷を停止し、その後に「キャンセル」の制御信号に基づいて印刷中であった印刷ジョブのジョブメモリ３５からの削除や感光体６３，転写ベルト６４などのクリーニングを実行して印刷停止を解除することによって印刷を中止するから、既存の「用紙無し」の制御信号による印刷停止の処理を用いて印刷を中止することができる。この結果、印刷が停止された後に印刷ジョブを消去したり感光体６３，転写ベルト６４などをクリーニングする処理を追加するだけで印刷の中止の処理を実行することができる。即ち、簡易な処理で印刷の中止を行なうことができる。
【００２４】
ここで、本実施形態のデジタル複合機１０が備えるカラーレーザプリンタ２０では、ジョブメモリ３５が「画像データ記憶手段」に相当し、プリンタ部４０が「印刷手段」に相当し、キャンセルボタン９７と操作パネル９０とが「印刷中止受付手段」に相当し、プリンタ用コントローラ３０が「印刷制御手段」に相当する。
【００２５】
上述の本実施形態のデジタル複合機１０が備えるカラーレーザプリンタ２０では、印刷中にキャンセルボタン９７が押下されたときには、「用紙無し」の制御信号と「キャンセル」の制御信号とを出力し、「用紙無し」の制御信号に基づいて印刷を停止し、その後に「キャンセル」の制御信号に基づいて印刷中であった印刷ジョブのジョブメモリ３５からの削除や感光体６３，転写ベルト６４などのクリーニングを実行して印刷停止を解除するキャンセル処理を実行することによって印刷を中止するものとしたが、印刷中にキャンセルボタン９７が押下されたときには、カラーレーザプリンタ２０が備えるいずれかのカバーが開かれたことを検知する「カバー開」の制御信号と「キャンセル」の制御信号とを出力し、「カバー開」の制御信号に基づいて印刷を停止し、その後に「キャンセル」の制御信号に基づいてキャンセル処理を実行することによって印刷を中止するものとしてもよい。この他、印刷中にキャンセルボタン９７が押下されたときには、印刷を停止する他の制御信号と「キャンセル」の制御信号とを出力し、印刷を停止する他の制御信号に基づいて印刷を停止し、その後に「キャンセル」の制御信号に基づいてキャンセル処理を実行することによって印刷を中止するものとしてもよい。
【００２６】
本実施形態のデジタル複合機１０が備えるカラーレーザプリンタ２０では、印刷の中止は、現在印刷中の用紙Ｐに対する印刷や次の用紙への印刷の準備が終了したタイミングで行なうものとしたが、現在印刷中の用紙Ｐに対する印刷が終了するのを待つことなく直ちに印刷を停止するものとしてもよい。
【００２７】
上述の本実施形態では、デジタル複合機１０が備えるカラーレーザプリンタ２０の形態として説明したが、デジタル複合機が備えるカラーレーザプリンタに限定されるものではなく、本発明の実施形態として単体のカラーレーザプリンタとしてもよいし、モノクロのレーザプリンタとしてもよい。さらに、本発明の実施形態としてインクジェットプリンタとしてもよい。このインクジェットプリンタの形態とした場合、印刷の停止、現在印刷中の用紙Ｐへの印刷の終了を待つことなく、印刷中のラインの印刷が終了したタイミングや、キャンセルボタン９７が押下された直後のタイミング等で印刷を停止するのが好ましい。
【００２８】
以上、本発明を実施するための最良の形態について説明したが、本発明はこうした実施例に何等限定されるものではなく、本発明の要旨を逸脱しない範囲内において、種々なる形態で実施し得ることは勿論である。
【産業上の利用可能性】
【００２９】
本発明は、画像印刷装置の製造産業などに利用可能である。
【図面の簡単な説明】
【００３０】
【図１】本発明の一実施形態であるデジタル複合機１０の概略構成を示す構成図。
【図２】カラーレーザプリンタ２０の概略構成を示すブロック図。
【図３】印刷停止中止処理の一例を示すフローチャート。
【符号の説明】
【００３１】
１０  デジタル複合機、２０  カラーレーザプリンタ、３０  プリンタ用コントローラ、３１  ＣＰＵ、３２  ＲＯＭ、３３  ＲＡＭ、３４  フラッシュメモリ、３５  ジョブメモリ、３８  バス、３９  入出力ポート、４０  プリンタ部、４１  プリンタ機構、４２  プリンタＡＳＩＣ、４５Ｃ，４５Ｍ，４５Ｙ，４５Ｋ  トナーカートリッジ、５９  排出口、６１  現像器、６３  感光体、６４  転写ベルト、６５  用紙カセット、６５ａ  用紙センサ、６６  搬送ユニット、６７  二次転写ユニット、６８  定着ユニット、７０  スキャナ、７５  スキャナ用コントローラ、９０  操作パネル、９１  各種入力ボタン、９２  液晶画面、９７  キャンセルボタン。
【図１】
2010125848.tif 000003
【図２】
2010125848.tif 000004
【図３】
2010125848.tif 000005